(57)【要約】【課題】  構造を簡単化できて安価にすることができ、調整器具やデジタル計器等の耐圧防爆化を簡単にできる防爆装置を提供する。【解決手段】  耐圧防爆型の箱本体１内に接触スイッチ機構５を有する電気関連器具４が配置され、箱本体１に耐圧防爆型の蓋体３が取り付けられ、蓋体の接触スイッチ機構に対応する箇所に、押し込みロッド８が貫入され、押し込みロッドと蓋体の貫通孔３ａとの隙間が０．２ｍｍ以下とされ、押し込みロッドの軸方向途中部に鍔部８ａが設けられ、先端に弾性化したピン１１が挿入され、蓋体の裏面側にロッド抜け止め用板材１３が配置され、ロッド抜け止め用板材と押し込みロッドの鍔部との間にスプリング１０が配設されて、スプリングの弾性によって押し込みロッドが常時蓋体側に向けて付勢されており、押し込みロッドの先端のピンによって弾性を持って電気関連器具の接触スイッチ機構が押される。【選択図】  図１
2005180878.tif 000002
【特許請求の範囲】
【請求項１】
耐圧防爆型の箱本体内に接触スイッチ機構を有する電気関連器具が配置され、前記箱本体に耐圧防爆型の蓋体が取り付けられるようにした防爆装置であって、前記蓋体の前記接触スイッチ機構に対応する箇所に、押し込みロッドが貫入されていて、この押し込みロッドと前記蓋体の貫通孔との隙間が０．２ｍｍ以下とされ、前記押し込みロッドの軸方向途中部に鍔部が設けられ、先端に弾性化したピンが挿入されていて、蓋体の裏面側にロッド抜け止め用板材が配置され、このロッド抜け止め用板材と前記押し込みロッドの鍔部との間にスプリングが配設されて、このスプリングの弾性によって前記押し込みロッドが常時前記蓋体側に向けて付勢されており、前記押し込みロッドを押し込むとこの押し込みロッドの先端のピンによって弾性を持って前記電気関連器具の接触スイッチ機構が押されるように構成されていて、前記電気関連器具側が爆裂した際に火炎が前記蓋体の貫通孔と前記押し込みロッドとの隙間から外部に漏れることを不可能とされ、前記電気関連器具の爆裂による影響を外部が受けないようにしたことを特徴とする防爆装置。
【請求項２】
前記押し込みロッドは、前記蓋体内に貫入されるロッド本体部と、前記鍔部と、その先端側に位置して先端から奥行き方向に向けて雌ネジが穿設された基部と、前記雌ネジに着脱自在に螺入される螺子ロッドと、この螺子ロッドの内部に穿設されている有底の孔部にスプリングを介して弾性をもって挿入保持される前記ピンとから構成されている請求項１に記載の防爆装置。
【請求項３】
前記蓋体の裏面側には、前記電気関連器具の鍔部を螺子止め固定するための４本の取り付け用ボスが突設されている請求項１又は２に記載の防爆装置。
【請求項４】
前記押し込みロッドの鍔部と前記蓋体の裏面との間には、外気進入防止用のシール体が取り付けられている請求項１乃至３のいずれかに記載の防爆装置。
【請求項５】
前記貫通孔の長さを２５ｍｍ以上とした請求項１乃至請求項４のいずれかに記載の防爆装置。
【発明の詳細な説明】
【技術分野】
【０００１】
本発明は、耐圧防爆型の箱本体内に接触スイッチ機構を有する電気関連器具が配置され、前記箱本体に耐圧防爆型の蓋体が取り付けられるようにした防爆装置に関するものである。
【背景技術】
【０００２】
この種の防爆装置として、例えば、特開平１１−１４２４９号公報に記載された防爆冷凍・冷蔵装置に用いられている耐圧防爆構造の容器１０３がある。この防爆冷凍・冷蔵装置は、図９、図１０に示すように、保管室１０１ｂを開閉扉１０１ｃにより開閉自在とした箱状の冷凍・冷蔵庫１０１と、冷凍・冷蔵庫１０１の天井部１０１ａに接地された冷凍機ユニット１０２とから成る。冷凍機ユニット１０２が、冷凍・冷蔵庫１０１の天井部１０１ａに夫々設置された全密閉形の圧縮機１０７、凝縮器１０８及び冷却器１０９を含む冷媒循環路と、天井部１０１ａ上面に設置された耐圧防爆構造の容器１０３と、モータ１０４ａが容器１０３内に収容され、その回転軸１０４ｂが容器１０３の一部を貫通する凝縮器用送風機１０４と、モータ１０５ａが容器１０３内に収容され、その回転軸１０５ｂが容器１０３の一部及び冷凍・冷蔵庫１０１の天井部１０１ａを貫通する冷却器用送風機１０５と、容器１０３内に収容され冷媒循環路、凝縮器用送風機１０４及び冷却器用送風機１０５を制御する制御機構１０６とを具備したものである。更に、前記各モータ１０４ａ、１０５ａの回転軸１０４ｂ、１０５ｂと容器１０３の貫通孔１０３ｃとの間にシール型ベアリング１１２を介設し、又、容器１０３内への電線１１１及び制御機構１０６の一部を形成する金属管１１３ｂ、１１４ｂ、１１５ｃの引込み部における隙間を全て火災逸走を回避できる寸法としている。
【０００３】
凝縮器用送風機１０４は、凝縮器１０８に冷却用空気を送り込んで高温の冷媒を冷却するものであり、図９に示す如く、容器１０３内に収容固定されて回転軸１０４ｂが貫通孔１０３ｃから突出するモータ１０４ａと、モータ１０４ａの回転軸１０４ｂに取り付けられて凝縮器１０８に対向するファン１０４ｃとから成る。又、回転軸１０４ｂと貫通孔１０３ｃとの間には、この間を火炎が逸走しないようにシール型ベアリング１１２が介設されている。このシール型ベアリング１１２は、内輪と外輪との間を金属製の環状のシール板で密閉したものである。即ち、回転軸１０４ｂと貫通孔１０３ｃとの間隙は、０．２ｍｍ以下（望ましくは０．１ｍｍ）に調整されて居り、これによって万一容器１０３の内・外に火炎が発生しても、火炎が間隙Ｇを通って逸走しないようになっている。
【０００４】
制御機構１０６に含まれる温度調節器１１５には温度設定用の押しボタンやダイヤル１１５ｂ等が設けられており、この押しボタン１１５ｂ等は、図１０に示すように容器１０３の前側壁より外部へ顕出されており、人が自由に冷凍・冷蔵庫１０１の外部より押しボタン１１５ｂ等を操作して温度設定等が行えるように構成されている。又、容器１０３の外部へ設けられている押しボタン１１５ｂ等は、所謂耐圧防爆構造に形成されている。
【０００５】
【特許文献１】特開平１１−１４２４９号公報
【発明の開示】
【発明が解決しようとする課題】
【０００６】
ところが、温度調節器１１５には、押しボタンやダイヤル１１５ｂが内側から外側に突出して設けられているので、これらの押しボタンやダイヤル１１５ｂを容器１０３の外側から操作する必要がある。このために、押しボタンやダイヤル１１５ｂは防爆構造のものが使用されていたので、高価なものとなり、容器１０３への取り付けに手数がかかるという問題があった。更に、温度調節器１１５等を含む制御機構１０６の操作用スイッチの数が増加すると、耐圧防爆構造の容器１０３の製造にかかる費用が大幅に上昇するという問題があった。
【０００７】
また、近来の温度調節器等は、デジタル化が進んでいて、ボタンのプッシュ操作によって設定値を変えるようにしたものが多いので、これらのプッシュ操作機構を含めて、操作用機構を完全に防爆構造としたものでは、高価になり過ぎるという問題があった。
本発明は、上記した従来の問題に鑑みてなされたものであって、通常の電気操作用機器や、調整器具、デジタル計器等を極く簡単な構造でもって安価に、しかも簡単に耐圧防爆化できるようにした防爆装置を提供することを目的とするものである。
【課題を解決するための手段】
【０００８】
本発明は、上記課題を解決するために提案されたものであって、請求項１に記載の発明は、耐圧防爆型の箱本体内に接触スイッチ機構を有する電気関連器具が配置され、前記箱本体に耐圧防爆型の蓋体が取り付けられるようにした防爆装置であって、前記蓋体の前記接触スイッチ機構に対応する箇所に、押し込みロッドが貫入されていて、この押し込みロッドと前記蓋体の貫通孔との隙間が０．２ｍｍ以下とされ、前記押し込みロッドの軸方向途中部に鍔部が設けられ、先端に弾性化したピンが挿入されていて、蓋体の裏面側にロッド抜け止め用板材が配置され、このロッド抜け止め用板材と前記押し込みロッドの鍔部との間にスプリングが配設されて、このスプリングの弾性によって前記押し込みロッドが常時前記蓋体側に向けて付勢されており、前記押し込みロッドを押し込むとこの押し込みロッドの先端のピンによって弾性を持って前記電気関連器具の接触スイッチ機構が押されるように構成されていて、前記電気関連器具側が爆裂した際に火災が前記蓋体の貫通孔と前記押し込みロッドとの隙間から外部に漏れることを不可能とされ、前記電気関連器具の爆裂による影響を外部が受けないようにしたことを特徴としている。
【０００９】
請求項２に記載の発明は、前記押し込みロッドは、前記蓋体内に貫入されるロッド本体部と、前記鍔部と、その先端側に位置して先端から奥行き方向に向けて雌ネジが穿設された基部と、前記雌ネジに着脱自在に螺入される螺子ロッドと、この螺子ロッドの内部に穿設されている有底の孔部にスプリングを介して弾性をもって挿入保持される前記ピンとから構成されている。
【００１０】
請求項３に記載の発明は、前記蓋体の裏面側には、前記電気関連器具の鍔部を螺子止め固定するための４本の取り付け用ボスが突設されている。
【００１１】
請求項４に記載の発明は、  前記押し込みロッドの鍔部と前記蓋体の裏面との間には、外気進入防止用のシール体が取り付けられている。又、請求項５の発明は、貫通孔の長さが２５ｍｍ以上とされている。
【発明の効果】
【００１２】
請求項１に記載の発明によれば、押し込みロッドと蓋体の貫通孔との隙間が０．２ｍｍ以下となっているので、電気関連器具が爆裂した場合に、その爆風が蓋体の内側から外側に漏れることがなくて、電気関連器具の爆裂による外部への影響を無くすことができる。このことによって、押し込みロッドを防爆構造とする必要がなくて、構造を簡単化できて安価にすることができ、調整器具やデジタル計器等の耐圧防爆化を簡単にできる。
また、ピンが螺子ロッドの内部のスプリングで弾性をもって挿入保持されているので、この押し込みロッドを押し込み操作したときに、ピンの先端が電気関連器具の接触スイッチ機構をソフトに押すことができて、この接触スイッチ機構に損傷等の支障が起きることを防ぐことができる。更に、押し込みロッドと蓋体の貫通孔との隙間が０．２ｍｍ以下のであるので、第１種や第２種の爆発性ガスの流通が殆ど行われなくて、外部に爆発性ガスが出ることを防ぐことができる。尚、接触スイッチ機構としては、プッシュスイッチ、タッチスイッチ、近接ボタン等がある。
【００１３】
請求項２に記載の発明によれば、押し込みロッドの鍔部が蓋体の裏面に当接するので、この押し込みロッドの抜け止めを行うことができる。また、螺子ロッドが雌ネジに螺入されるようになっているので、押し込みロッドの先端のピンと接触スイッチ機構との距離に合わせて螺子ロッドの突出寸法を調節して最適な位置で先端のピンで接触スイッチ機構に接触させることができる。更に、スプリングによってピンは弾性をもって接触スイッチ機構に接触させることができるので、この接触を緩和させて接触スイッチ機構の接触部分に傷等の損傷が生じることを防ぐことができる。
【００１４】
請求項３に記載の発明によれば、蓋体の裏面の４本の取り付け用ボスに電気関連器具の鍔部をネジ止めするだけで、蓋体に電気関連器具を取り付けることができるので、この取り付け作業を簡単に行うことができる。
【００１５】
請求項４に記載の発明によれば、装置の内外の圧力差が有る場合でも、シール体によって、外気が装置内に出入りすることを遮断することができる。又、請求項５の発明のよれば、火災の逸走をより確実に防止できる。
【発明を実施するための最良の形態】
【００１６】
以下、本発明に係る防爆装置の実施の形態について、図を参照しつつ説明する。
図１は本発明の防爆装置の実施形態の一部断面した平面図、図２は同装置の実施形態の一部断面した側面図、図３は同装置の実施形態の要部を切り欠きした側面図、図４は同装置の実施形態の箱本体を除いた分解斜視図、図５は同装置の実施形態の蓋体を裏面側から見た斜視図、図６は同装置の実施形態における押し込みロッドを示し、（ａ）はその斜視図、（ｂ）はその分解斜視図、図７は同装置の実施形態における押し込みロッドの拡大断面図である。
【００１７】
本実施形態の防爆装置は、図１、図２、図３に示すように、防爆装置は、箱本体１とこの箱本体の前部に複数のビス２で取り付けられる蓋体３とからなり、内部に電気関連器具４が配置されるようになっている。この電気関連器具４の表面にはプッシュボタンからなる接触スイッチ機構５が設けられている。尚、この接触スイッチ機構５は、プッシュボタンの他に、タッチボタンや近接ボタンであってもよい。
【００１８】
この電気関連器具４は、その鍔部４ａが蓋体３から後向きで四方に突設された取り付け用ボス６にビス７で取り付け固定されるようになっている（図４、図５参照）。また、蓋体３には接触スイッチに対応する箇所に貫通孔３ａが穿設されていて、この貫通孔３ａに押し込みロッド８が貫入されている。この貫通孔３ａと押し込みロッド８との隙間は０．２ｍｍ以下、長さは２５ｍｍ以上となっている。
【００１９】
押し込みロッド８には、軸方向中途部に鍔部８ａが設けられ、先端側に雌ネジ８ｂが穿設されている。この雌ネジ８ｂには、螺子ロッド９が螺入されている。更に、この螺子ロッド９には有底の孔部９ａが設けられていて、この孔部９ａにスプリング１０が嵌め入れ、その前側にピン１１がスプリング１０によって弾性をもって嵌め入れられている［図６（ａ）（ｂ）、図７参照］。
【００２０】
押し込みロッド８の鍔部８ａは、蓋体３の裏面に当接するようになっている。また、蓋体３の裏面には、貫通孔３ａの両側に支持用ロッド１２が突設され、これらの支持用ロッド１２にロッド抜け止め用板材１３が掛け渡されてビス１４で取り付けられている。このロッド抜け止め用板材１３には、押し込みロッド８の先端の螺子ロッド９が移動可能に貫入される孔部１３ａが穿設されている。更に、押し込みロッド８の鍔部８ａとロッド抜け止め用板材１３との間には、スプリング１５が配設され、このスプリング１５により押し込みロッド８が蓋体８の裏面側に向けて付勢されている。また、蓋体８には電気関連器具４の表示部４ａを見るための窓部８ｃが設けられ、この窓部８に防爆ガラス１６が取り付けられている（図４参照）。
【００２１】
上記のように構成された防爆装置は、押し込みロッド８を外部から押し込むと、螺子ロッド９が裏側（箱本体１の内方）に向けて移動し、その先端のピン１１が電気関連器具４の接触スイッチ機構５を押してこの接触スイッチ機構５をＯＮ・ＯＦＦするようになっている。
したがって、本実施形態によれば、押し込みロッド８と蓋体３の貫通孔３ａとの隙間が０．２ｍｍ以下となっているので、電気関連器具４が爆裂した場合に、その爆風が蓋体３の内側から外側に漏れることがなくて、電気関連器具４の爆裂による外部への影響を無くすことができる。このことによって、押し込みロッド８を防爆構造とする必要がなくて、構造を簡単化できて安価にすることができ、調整器具やデジタル計器等の耐圧防爆化を簡単にできる。
【００２２】
また、ピン１１が螺子ロッド９の内部のスプリング１０で弾性をもって挿入保持されているので、この押し込みロッド８を押し込み操作したときに、ピン１１の先端が電気関連器具４の接触スイッチ機構５をソフトに押すことができて、この接触スイッチ機構５に損傷等の支障が起きることを防ぐことができる。更に、押し込みロッド８と蓋体３の貫通孔３ａとの隙間が０．２ｍｍ以下、長さが２５ｍｍ以上であるので、第１種や第２種の爆発性ガスの爆発時においても、火炎が外部へ逸走したり、爆発ガスの流通が殆ど行われなくて、外部で爆発が起こることを完全に防ぐことができる。尚、前記隙間０．２ｍｍ以下及び長さ２５ｍｍ以上は、実験（テスト）によって得られた数値である。
【００２３】
また、押し込みロッド８の鍔部８ａが蓋体３の裏面に当接するので、この押し込みロッド８の抜け止めを行うことができる。また、螺子ロッド９が雌ネジ８ｂに螺入されるようになっているので、押し込みロッド８の先端のピン１１と接触スイッチ機構５との距離に合わせて螺子ロッド９の突出寸法を調節して最適な位置で先端のピン１１で接触スイッチ機構５に接触させることができる。更に、スプリング１５によってピン１１は弾性をもって接触スイッチ機構５に接触させることができるので、この接触を緩和させて接触スイッチ機構５の接触部分に傷等の損傷が生じることを防ぐことができる。
更に、蓋体３の裏面の４本の取り付け用ボス６に電気関連器具４の鍔部４ａをネジ止めするだけで、蓋体３に電気関連器具４を取り付けることができるので、この取り付け作業を簡単に行うことができる。
【００２４】
図８は同装置の別の実施形態の一部切り欠きした側面図である。
この実施形態の防爆装置は、図８に示すように、押し込みロッド８の鍔部８ａと蓋体３の裏面との間に、外気進入防止用のシール体１７が取り付けられている。
したがって、装置の内外の圧力差が有る場合でも、シール体１７によって、外気が装置内に出入りすることを遮断することができる。
【産業上の利用可能性】
【００２５】
本発明の防爆装置は、冷凍・冷蔵庫等の天井部に設置することが好ましく、また、他の電気関係器具にも適用することが可能なことは勿論である。
【図面の簡単な説明】
【００２６】
【図１】本発明の防爆装置の実施形態の一部断面した平面図である。
【図２】同装置の実施形態の一部断面した側面図である。
【図３】同装置の実施形態の要部を切り欠きした側面図である。
【図４】同装置の実施形態の箱本体を除いた分解斜視図である。
【図５】同装置の実施形態の蓋体を裏面側から見た斜視図である。
【図６】同装置の実施形態における押し込みロッドを示し、（ａ）はその斜視図、（ｂ）はその分解斜視図である。
【図７】同装置の実施形態における押し込みロッドの拡大断面図である。
【図８】同装置の別の実施形態の一部切り欠きした側面図である。
【図９】従来の防爆冷凍・冷蔵装置の部分一部破断正面図である。
【図１０】同装置の平面図である。
【符号の説明】
【００２７】
１      箱本体
２      ビス
３      蓋体
３ａ    貫通孔
４      電気関連器具
４ａ    鍔部
５      接触スイッチ機構
６      取り付け用ボス
７      ビス
８      押し込みロッド
８ａ    鍔部
８ｂ    雌ネジ
８ｃ    窓部
９      螺子ロッド
９ａ    孔部
１０    スプリング
１１    ピン
１２    支持用ロッド
１３    ロッド抜け止め用板材
１３ａ  孔部
１４    ビス
１５    スプリング
１６    防爆ガラス
【図１】
2005180878.tif 000003
【図２】
2005180878.tif 000004
【図３】
2005180878.tif 000005
【図４】
2005180878.tif 000006
【図５】
2005180878.tif 000007
【図６】
2005180878.tif 000008
【図７】
2005180878.tif 000009
【図８】
2005180878.tif 000010
【図９】
2005180878.tif 000011
【図１０】
2005180878.tif 000012